(57)【要約】【課題】ＩＣチップとホログラムメモリとを用いて、大容量の情報処理が可能な携帯電話機を提供する。【解決手段】コンテンツが格納されたホログラムＲＯＭ２０を携帯電話機の内部バス１０８に接続するＲＯＭＩＦ１０７と、ホログラムＲＯＭ２０に格納されたコンテンツの処理を行うＩＣチップ３０を内部バス１０８に接続するＩＣチップＩＦ１０６と、内部バス１０８に接続され、ＩＣチップ３０に処理の要求を行い、ＩＣチップ３０の処理の結果を、ユーザインタフェース１０３〜１０５に転送する制御部１０１とを備えた。【選択図】　　　　図２
2004015329.tif 000002
【特許請求の範囲】
【請求項１】
コンテンツが格納されたホログラムＲＯＭを携帯電話機の内部バスに接続する手段と、
前記ホログラムＲＯＭに格納されたコンテンツの処理を行うＩＣチップを前記内部バスに接続する手段と、
前記内部バスに接続され、前記ＩＣチップに前記処理の要求を行い、前記ＩＣチップの前記処理の結果を、ユーザインタフェースに転送する制御手段と
を備えたことを特徴とする携帯電話機。
【請求項２】
前記制御手段は、ユーザが入力した検索条件式を含む要求を前記ＩＣチップに送出し、前記ＩＣチップが、前記検索条件式に適合するコンテンツを、前記ホログラムＲＯＭから抽出した結果を、ユーザインタフェースに転送することを特徴とする請求項１に記載の携帯電話機。
【請求項３】
前記制御手段は、ユーザが入力した音声情報を含む要求を前記ＩＣチップに送出し、前記ＩＣチップが、前記ホログラムＲＯＭに格納された辞書データベースを参照して、前記音声情報を認識した結果を、ユーザインタフェースに転送することを特徴とする請求項１に記載の携帯電話機。
【請求項４】
前記制御手段は、ユーザが入力した文字情報を含む要求を前記ＩＣチップに送出し、前記ＩＣチップが、前記ホログラムＲＯＭに格納された辞書データベースを参照して、前記文字情報を音声情報に変換した結果を、ユーザインタフェースに転送することを特徴とする請求項１に記載の携帯電話機。
【請求項５】
前記制御手段は、前記ＩＣチップからの認証要求に応じて、ユーザが入力した暗証番号および予め格納された電話番号を含む認証応答を送出する認証手段を有し、
前記ＩＣチップは、予め格納されたユーザが指定した暗証番号および前記携帯電話機の電話番号と、前記認証応答に含まれる暗証番号および電話番号とを照合することを特徴とする請求項１ないし４のいずれかに記載の携帯電話機。
【請求項６】
前記制御手段は、前記ＩＣチップが処理した前記コンテンツの使用量に基づいて、前記ＩＣチップが作成した課金のための内訳明細を、予め定めた電話番号に送信する通信手段を有することを特徴とする請求項１ないし５のいずれかに記載の携帯電話機。
【請求項７】
コンテンツが格納されたホログラムＲＯＭと前記コンテンツの処理を行うＩＣチップとを内部バスに接続する手段を有する携帯電話機の制御部が、前記コンテンツに対するアクセス管理を行うサービス管理方法であって、前記制御部が、前記ＩＣチップからの認証要求に応じて、ユーザが入力した暗証番号および予め格納された電話番号を含む認証応答を送信するステップと、
前記ＩＣチップが、予め格納されたユーザが指定した暗証番号および前記携帯電話機の電話番号と、前記認証応答に含まれる暗証番号および電話番号とを照合する照合ステップと、
該照合ステップにおける照合が正しい場合には、前記ＩＣチップが、アクセス許可信号を前記制御部に送信するステップと
を備えたことを特徴とするサービス管理方法。
【請求項８】
コンテンツが格納されたホログラムＲＯＭと前記コンテンツの処理を行うＩＣチップとを内部バスに接続する手段を有する携帯電話機の制御部が、前記コンテンツに対する課金管理を行うサービス管理方法であって、
前記ＩＣチップが、処理した前記コンテンツの使用量に基づいて、課金のための内訳明細を作成する作成ステップと、
前記制御部が、前記作成ステップで作成した前記内訳明細を、予め定めた電話番号に送信する送信ステップと
を備えたことを特徴とするサービス管理方法。
【発明の詳細な説明】
【０００１】
【発明の属する技術分野】
本発明は、携帯電話機及びサービス管理方法に関し、より詳細には、コンテンツが格納されたホログラムＲＯＭとコンテンツのサービス管理を行うためのＩＣチップとを備えた携帯電話機及びサービス管理方法に関する。
【０００２】
【従来の技術】
移動通信システムの普及によって、いつでもどこでも通信手段を利用することが可能になり、携帯電話機の高機能化に伴い、携帯型の情報端末として利用することができるようになった。しかし、携帯端末という大きさの制約から、パーソナル・コンピュータに比較して、情報処理の能力は低く、情報の記憶容量は小さいのが現状である。また、有線通信システムは、光ファイバによる大容量通信が可能であるのに対し、無線通信システムは、電波資源の制約から通信回線の大容量化が難しく、携帯型の情報端末の情報処理能力には限界があった。
【０００３】
携帯電話機に収容することができる情報記録媒体として、ＩＣカードやメモリスティックが知られている。情報が記憶された半導体チップまたは半導体メモリが内蔵されており、携帯型の情報端末に収容することにより、記憶容量の増大を図ることができる。しかし、携帯電話機に収容する小型のカード形状という制約から、情報の記憶容量は小さいのが現状である。
【０００４】
一方、超大容量の積層導波路ホログラムメモリが考案されている。ＤＶＤ（Ｄｉｇｉｔａｌ　Ｖｉｄｅｏ　Ｄｉｓｋ）同様の光記録媒体に分類され、大量複製が可能で、安価に製造できるため、情報流通媒体として使用することができる。積層導波路ホログラムメモリは、ＤＶＤのようなビット・バイ・ビットの逐次読出ではなく、高速転送可能な２次元一括読出であるため、その大容量性とあいまって、次世代超大容量メモリの本命とみなされている。詳しくは、特開平１１−３４５４１９号公報に、シングルモード平面型光導波路を多層に積み重ねた再生専用多重ホログラム情報記録媒体が記載されている。この記録媒体は、上述のように２次元一括読出方式を採用しており、ＤＶＤの読み出しのように、記録媒体の回転が不要なため、クレジットカードサイズ、名刺サイズ、切手サイズ等のコンパクトで持ち運びに優れた形態をとることができる。例えば、名刺サイズの平面型光導波路層を１００層積層した場合に、およそ１３０ＧＢの記憶容量を有することが記載されている。
【０００５】
【発明が解決しようとする課題】
再生専用の多重ホログラムメモリは、携帯電話機に収容することができる切手サイズの大きさで、およそ５ＧＢの記憶容量を有し、携帯電話機を使用して読み出すことのできる情報の量と質を飛躍的に増大させることができる。しかしながら、携帯電話機の内蔵するＣＰＵの処理能力は、通信制御など負荷の小さい処理を前提としている。テーマ毎に分類された多重ホログラムメモリの情報は、豊富かつ深度化されているため、携帯電話機の内蔵するＣＰＵが汎用の検索アルゴリズムを使用するだけでは、快適な情報検索ができないという問題があった。
【０００６】
一方、「デジタルキオスク」と呼ばれるサービスが知られている。有線通信システムに接続されたサーバを、パブリック・スペースに設置して、ユーザは、携帯電話機とサーバとを直接無線回線で接続し、必要な情報を取得する。高度な情報処理はサーバにおいて行い、携帯電話機は必要な情報のみを取得すればよい。しかしながら、サーバ設置個所の近辺でなければサービスを享受できず、携帯型情報端末のモビリティを損なうという問題があった。
【０００７】
本発明は、このような問題に鑑みてなされたもので、その目的とするところは、ＩＣチップとホログラムメモリとを用いて、大容量の情報処理が可能な携帯電話機及びサービス管理方法を提供することにある。
【０００８】
【課題を解決するための手段】
本発明は、このような目的を達成するために、請求項１に記載の発明は、コンテンツが格納されたホログラムＲＯＭを携帯電話機の内部バスに接続する手段と、前記ホログラムＲＯＭに格納されたコンテンツの処理を行うＩＣチップを前記内部バスに接続する手段と、前記内部バスに接続され、前記ＩＣチップに前記処理の要求を行い、前記ＩＣチップの前記処理の結果を、ユーザインタフェースに転送する制御手段とを備えたことを特徴とする。
【０００９】
この構成によれば、制御手段とＩＣチップとがサービス機能を分担し、負荷の大きな処理をＩＣチップが行うことにより、携帯電話機において、大容量の情報処理を行うことができる。
【００１０】
請求項２に記載の発明は、請求項１に記載の前記制御手段は、ユーザが入力した検索条件式を含む要求を前記ＩＣチップに送出し、前記ＩＣチップが、前記検索条件式に適合するコンテンツを、前記ホログラムＲＯＭから抽出した結果を、ユーザインタフェースに転送することを特徴とする。
【００１１】
請求項３に記載の発明は、請求項１に記載の前記制御手段は、ユーザが入力した音声情報を含む要求を前記ＩＣチップに送出し、前記ＩＣチップが、前記ホログラムＲＯＭに格納された辞書データベースを参照して、前記音声情報を認識した結果を、ユーザインタフェースに転送することを特徴とする。
【００１２】
請求項４に記載の発明は、請求項１に記載の前記制御手段は、ユーザが入力した文字情報を含む要求を前記ＩＣチップに送出し、前記ＩＣチップが、前記ホログラムＲＯＭに格納された辞書データベースを参照して、前記文字情報を音声情報に変換した結果を、ユーザインタフェースに転送することを特徴とする。
【００１３】
請求項５に記載の発明は、請求項１ないし４のいずれかに記載の前記制御手段は、前記ＩＣチップからの認証要求に応じて、ユーザが入力した暗証番号および予め格納された電話番号を含む認証応答を送出する認証手段を有し、前記ＩＣチップは、予め格納されたユーザが指定した暗証番号および前記携帯電話機の電話番号と、前記認証応答に含まれる暗証番号および電話番号とを照合することを特徴とする。
【００１４】
請求項６に記載の発明は、請求項１ないし５のいずれかに記載の前記制御手段は、前記ＩＣチップが処理した前記コンテンツの使用量に基づいて、前記ＩＣチップが作成した課金のための内訳明細を、予め定めた電話番号に送信する通信手段を有することを特徴とする。
【００１５】
請求項７に記載の発明は、コンテンツが格納されたホログラムＲＯＭと前記コンテンツの処理を行うＩＣチップとを内部バスに接続する手段を有する携帯電話機の制御部が、前記コンテンツに対するアクセス管理を行うサービス管理方法であって、前記制御部が、前記ＩＣチップからの認証要求に応じて、ユーザが入力した暗証番号および予め格納された電話番号を含む認証応答を送信するステップと、前記ＩＣチップが、予め格納されたユーザが指定した暗証番号および前記携帯電話機の電話番号と、前記認証応答に含まれる暗証番号および電話番号とを照合する照合ステップと、該照合ステップにおける照合が正しい場合には、前記ＩＣチップが、アクセス許可信号を前記制御部に送信するステップとを備えたことを特徴とする。
【００１６】
請求項８に記載の発明は、コンテンツが格納されたホログラムＲＯＭと前記コンテンツの処理を行うＩＣチップとを内部バスに接続する手段を有する携帯電話機の制御部が、前記コンテンツに対する課金管理を行うサービス管理方法であって、前記ＩＣチップが、処理した前記コンテンツの使用量に基づいて、課金のための内訳明細を作成する作成ステップと、前記制御部が、前記作成ステップで作成した前記内訳明細を、予め定めた電話番号に送信する送信ステップとを備えたことを特徴とする。
【００１７】
【発明の実施の形態】
以下、図面を参照しながら本発明の実施形態について詳細に説明する。
【００１８】
図１に、本発明の一実施形態にかかる携帯電話機の外観を示す。携帯端末の一実施形態である携帯電話機１０は、ホログラムＲＯＭ（Ｒｅａｄ　Ｏｎｌｙ　Ｍｅｍｏｒｙ）２０と、ホログラムＲＯＭ２０に格納された情報の処理を行う専用ＬＳＩが内蔵されたＩＣチップ３０とを挿入するスロットを有している。専用ＬＳＩは、例えば、ＣＰＵ、ＲＡＭなどを含むＡＳＩＣ（Ａｐｐｌｉｃａｔｉｏｎ　Ｓｐｅｃｉｆｉｃ　ＩＣ）、ＤＳＰ（Ｄｉｇｉｔａｌ　Ｓｉｇｎａｌ　Ｐｒｏｃｅｓｓｏｒ）、ＰＬＤ（Ｐｒｏｇｒａｍｍａｂｌｅ　Ｌｏｇｉｃ　Ｄｅｖｉｃｅ）などを適用することができる。
【００１９】
図２に、本発明の一実施形態にかかる携帯電話機の構成を示す。携帯電話機１０は、電話機全体の制御を行う制御部１０１と、制御部１０１の情報処理に使用される記憶部１０２と、送受信、変復調などの通信制御を行う通信処理部１０３とを有し、バス１０８によってそれぞれ接続されている。また、携帯電話機１０は、ユーザインタフェースのための液晶表示装置を含む表示部１０４と、テンキーなどの入力部１０５とを有している。ＩＣチップ３０は、ＩＣチップＩＦ１０６を介して、ホログラムＲＯＭ２０は、ＲＯＭＩＦ１０７を介して、それぞれバス１０８に接続されている。
【００２０】
このような構成により、制御部１０１は、バス１０８を介してＩＣチップ３０との間でデータのやり取りを行う。また、ＩＣチップ３０も、バス１０８を介してホログラムＲＯＭ２０との間でデータのやり取りを行う。制御部１０１とＩＣチップ３０とは、サービス機能を分担して、ホログラムＲＯＭ２０に格納された情報を処理し、処理結果を、ユーザインタフェースを介してユーザに提供する。
【００２１】
例えば、、ホログラムＲＯＭ２０には、テーマ毎に分類された情報を格納し、ＩＣチップ３０には専用の閲覧、検索アルゴリズムを実行する機能を与える。複数のホログラムＲＯＭ２０によりシリーズ化された情報を提供すれば、複数のホログラムＲＯＭ２０と１つのＩＣチップ３０とにより、従来の携帯電話機では得られない豊富かつ深度化された知識環境を提供することができる。
【００２２】
本実施形態において、多様なサービスを提供するために、ホログラムＲＯＭ２０とＩＣチップ３０とを別のパッケージにしたが、同一のパッケージに収容してもよい。また、ホログラムＲＯＭ２０とＩＣチップ３０とは、情報を読み出す装置に応じて、様々な形態をとることができる。
【００２３】
図３に、本発明の一実施形態にかかる携帯電話機の機能配分を示す。制御部１０１は、表示部１０４と入力部１０５とを介してユーザインタフェース機能１１１を提供する。ユーザインタフェース機能１１１によって入力された情報、またはユーザインタフェース機能１１１に出力される情報は、ＩＣチップ３０との間でデータのやり取りを行うサービス制御機能１１２及び認証機能１１３と、通信処理部１０３を介して通信を行うための通信機能１１４との間で送受信される。
【００２４】
図３に示したホログラムＲＯＭ２０とＩＣチップ３０とを用いて、例えば、「旅行案内」サービスを提供する場合を説明する。「旅行案内」は、日本国内のみならず、世界各地の交通情報、観光情報、グルメ情報などのほか、市街地図、旅行用の会話辞書など、単行本にして数十冊の情報を有する。この「旅行案内」情報を、ホログラムＲＯＭ２０のデータベース２０１に格納する。このようなホログラムＲＯＭ２０は、例えば、旅行会社などでチケットを購入した時に、ユーザに無償で提供される。ＩＣチップ３０は、「旅行案内」サービスを提供するための専用ＬＳＩであり、主として検索エンジンのはたらきをする。ＩＣチップ３０は、サービス・プロバイダから有償で提供してもよいし、ホログラムＲＯＭ２０と同様に無償で提供し、有償の情報を検索するたびに課金を行ってもよい。課金の方法は、後述する。
【００２５】
ＩＣチップ３０の機能は、ホログラムＲＯＭに格納されたコンテンツのアクセス権の管理などを行うサービス管理機能３０１と、コンテンツの処理を行うサービス制御機能３０２とに大別される。サービス管理機能３０１は、認証機能３１１と課金機能３１２を有し、サービス制御機能３０２は、制御機能３２１と検索機能３２２とを有する。認証機能３１１は、例えば、ＩＣチップ３０を有償で提供した場合に、正当使用者であるか否かの認証を行う。課金機能３１２は、有償の情報を検索するたびに課金を行う場合に、登算を行い請求金額を制御部１０１に送信する。制御機能３２１は、制御部１０１のサービス制御機能１１２と連携して、「旅行案内」サービスのナビゲートを行う。検索機能３２２は、ＩＣチップ３０の主機能である検索エンジンである。
【００２６】
さらに、複数のホログラムＲＯＭ２０を使用すれば、１つの検索エンジンにより、豊富かつ深度化された知識環境を提供することができる。例えば、「旅行案内」サービスの他にも、「動物図鑑」、「植物図鑑」などの辞典類、「地図」、「美術カタログ」などの学術書、「自動車カタログ」、「園芸百科」などの趣味実用書などにも適用することができる。
【００２７】
図４に、本発明の一実施形態にかかるサービス管理方法を示す。ＩＣチップ３０を有償で提供した場合に、ユーザがＩＣチップ３０を購入する際に、ＩＣチップ３０には認証情報が書き込まれている。例えば、ユーザが使用している携帯電話機の電話番号、暗証番号などである。なお、ＩＣチップ３０には、個々のチップを一意に特定するＩＤ、サービスの有効期間も書き込まれている。ユーザは、ホログラムＲＯＭ２０も入手して、ＩＣチップ３０とともに、携帯電話機１０に挿入する（Ｓ４０１）。
【００２８】
携帯電話機１０の制御部１０１は、ＩＣチップ３０から「旅行案内」のサービスメニューを取得して、表示部１０４に表示する。ユーザがサービスメニューの中から任意のサービス、例えば、「情報検索サービス」を入力部１０５より選択すると、制御部１０１は、ＩＣチップ３０にサービス要求を送出する（Ｓ４０２）。
【００２９】
ＩＣチップ３０は、サービス要求を受け付けると、サービス管理機能３０１の認証機能３１１を介して、制御部１０１に認証要求を行う。認証要求は、例えば、携帯電話機の電話番号、暗証番号を要求する。制御部１０１は、認証機能１１３を介して、ユーザが入力部１０５より入力した暗証番号と、制御部１０１に予め格納されている電話番号とを認証応答に含めて、ＩＣチップ３０に送出する。ＩＣチップ３０の認証機能３１１は、電話番号と暗証番号の照合を行って、正しければ認証を終了する（Ｓ４０３）。
【００３０】
ＩＣチップ３０のサービス管理機能３０１は、さらに、制御部１０１から時刻情報を取得して、有効期間管理を行う。例えば、認証応答に現在日時と現在時刻とを含め、予めＩＣチップ３０に書き込まれている有効期間と照合する。有効期間が経過していれば、サービスを終了し、有効期間が未了の場合は、サービスを続行する（Ｓ４０４）。
【００３１】
ユーザが入力部１０５より「情報検索サービス」のうち、「グルメ情報の検索」を選択すると、制御部１０１は、ＩＣチップ３０のサービス制御機能３０２に検索要求を送出する（Ｓ４０５）。検索要求には、ユーザが入力した検索条件式が含まれ、例えば、「東京都区内・中華・予算１万円以下」などが入力されている。サービス制御機能３０２の検索機能３２２は、入力された検索条件式に基づいて検索を行い（Ｓ４０６）、検索結果を、制御部１０１を介して、表示部１０４に表示する。
【００３２】
ＩＣチップ３０のサービス管理機能３０１は、サービスを続行するか否かを制御部１０１に問い合わせ、サービスを続行する場合には、ステップＳ４０４に戻る。サービスを終了する場合には、課金処理を行う（Ｓ４０８）。課金処理は、課金の対象となる情報を検索する度に、サービス管理機能３０１の課金機能３１２が登算を行う。サービスを終了すると、課金機能３１２は、登算結果を集計し、請求金額の内訳明細を作成して、制御部１０１に送出する。制御部１０１は、内訳明細を表示部１０４に表示するとともに、通信機能１１４から通信処理部１０３を介して、サービス・プロバイダに内訳明細を送信する。
【００３３】
図５に、本発明の一実施形態にかかるサービス管理方法を機能ブロックに対応したシーケンスで示す。図４に示したサービス管理方法を機能ブロックごとに詳細に説明する。制御部１０１は、サービス制御機能１１２を介して、ＩＣチップ３０のサービス制御機能３０２からサービスメニューを取得して（５０１）、ユーザインタフェース機能１１１を介して、表示部１０４に表示する（５０２）。ユーザが任意のサービスを入力部１０５より選択すると（５０３）、制御部１０１は、ＩＣチップ３０のサービス制御機能３０２にサービス要求を送出する（５０４）。
【００３４】
ＩＣチップ３０は、サービス要求を受け付けると、サービス管理機能３０１の認証機能３１１を介して、制御部１０１に認証要求を行う（５０５）。認証要求は、例えば、携帯電話機の電話番号、暗証番号を要求する。制御部１０１は、暗証番号入力画面を表示部１０４に表示する（５０６）。ユーザが入力部１０５より暗証番号入力すると（５０７）、制御部１０１に予め格納されている電話番号と、入力された暗証番号とを認証応答に含めて、認証機能１１３を介して、ＩＣチップ３０に送出する（５０８）。ＩＣチップ３０の認証機能３１１は、電話番号と暗証番号の照合を行って、正しければアクセス許可を、制御部１０１に送出し（５０９）、制御部１０１は、表示部１０４に表示する（５１０）。
【００３５】
ユーザが入力部１０５より情報検索のサービスを選択すると（５１１）、制御部１０１は、ＩＣチップ３０のサービス制御機能３０２に検索要求を送出する（５１２）。サービス制御機能３０２の検索機能３２２は、検索条件式を入力するための入力画面を、制御部１０１を介して、表示部１０４に表示する（５１３）。ユーザが検索条件式を入力し、検索実行を選択すると（５１４）、検索機能３２２は、入力された検索条件式に基づいて、ホログラムＲＯＭ２０のデータベース２０１の検索を行う（５１５）。
【００３６】
サービス制御機能３０２の検索機能３２２は、検索結果を、制御部１０１を介して、表示部１０４に表示する（５１６）。ユーザは、検索結果の内容から、さらに、詳細な情報を必要な場合は、詳細情報要求を選択する（５１７）。検索機能３２２は、選択された要求条件に基づいて、ホログラムＲＯＭ２０の検索を行い（５１８）、抽出した詳細情報を、制御部１０１を介して、表示部１０４に表示する（５１９）。
【００３７】
このようにして、制御部１０１とＩＣチップ３０とは、サービス機能を分担して、ホログラムＲＯＭ２０に格納された情報にかかるサービスを、ユーザに提供する。主として、ユーザインタフェースを制御部１０１が行い、検索処理をＩＣチップ３０が行うことにより、処理能力に応じた機能分担により、大容量の情報処理を行うことができる。
【００３８】
図６に、本発明の一実施形態にかかるホログラムＲＯＭとＩＣチップの機能配分を示す。図６（ａ）は、一例として、「音声翻訳・合成」サービスを提供する場合を示している。「音声翻訳・合成」サービスにおいて、ホログラムＲＯＭ２０は、辞書データベースであり、音声認識用辞書２１１と、構文解析用辞書２１２と、会話用辞書２１３とを格納している。ＩＣチップ３０の機能は、サービス管理機能３０１とサービス制御機能３０２とに大別される。サービス制御機能３０２は、制御機能３２１と、音声認識機能３３１と、音声合成機能３３２とを有する。
【００３９】
このような構成により、携帯電話機１０から入力された音声は、制御部１０１からＩＣチップ３０の制御機能３２１に送出される。音声認識機能３３１は、音声認識用辞書２１１と構文解析用辞書２１２とを使用して、入力された音声を識別する。認識結果は、制御部１０１を介して、表示部１０４に表示される。また、音声合成機能３３２は、ユーザが入力部１０５から入力した単語や文章を、制御部１０１を介して受け取り、会話用辞書２１３を使用して、音声を合成する。合成結果は、制御部１０１を介して、携帯電話機１０から音声として出力される。このようにして「音声翻訳・合成」サービスは、例えば、海外旅行の際の翻訳装置として使用したり、聴覚障害者のための支援装置として使用することができる。
【００４０】
図６（ｂ）は、一例として、「専門分野翻訳」サービスを提供する場合を示している。「専門分野翻訳」サービスにおいて、ホログラムＲＯＭ２０は、辞書データベースであり、翻訳用辞書２２１と、百科事典２２２と、専門用語集２２３とを格納している。ＩＣチップ３０の機能は、サービス管理機能３０１とサービス制御機能３０２とに大別される。サービス制御機能３０２は、制御機能３２１と、翻訳機能３４１と、字引機能３４２とを有する。
【００４１】
このような構成により、携帯電話機１０から入力された翻訳要求は、制御部１０１からＩＣチップ３０の制御機能３２１に送出される。翻訳機能３４１と字引機能３４２とは、辞書データベースを検索して、最適な訳語を抽出する。検索に際しては、例えば、翻訳条件を入力することができ、日常会話、報道、専門書などの分類や、政治、経済、理工などの分野を入力することにより、最適な訳語を抽出することができる。翻訳結果は、制御部１０１を介して、表示部１０４に表示される。
【００４２】
このようにして、負荷の大きな処理をＩＣチップ３０が行うことにより、携帯電話機において、大容量の情報処理を行うことができる。
【００４３】
【発明の効果】
以上説明したように、本発明によれば、コンテンツが格納されたホログラムＲＯＭを携帯電話機の内部バスに接続する手段と、ホログラムＲＯＭに格納されたコンテンツの処理を行うＩＣチップを内部バスに接続する手段と、内部バスに接続され、ＩＣチップに処理の要求を行い、ＩＣチップの処理の結果を、ユーザインタフェースに転送する制御手段とを備えたので、大容量のコンテンツを格納することができるとともに、大容量の情報処理、およびこれに伴うサービス管理を容易に行うことが可能となる。
【図面の簡単な説明】
【図１】本発明の一実施形態にかかる携帯電話機の外観を示した斜視図である。
【図２】本発明の一実施形態にかかる携帯電話機の構成を示したブロック図である。
【図３】本発明の一実施形態にかかる携帯電話機の機能配分を示した機能ブロック図である。
【図４】本発明の一実施形態にかかるサービス管理方法を示したフローチャートである。
【図５】本発明の一実施形態にかかるサービス管理方法を機能ブロックに対応して示したシーケンス図である。
【図６】本発明の一実施形態にかかるホログラムＲＯＭとＩＣチップの機能配分を示した機能ブロック図である。
【符号の説明】
１０　　携帯電話機
２０　　ホログラムＲＯＭ
３０　　ＩＣチップ
１０１　　制御部
１０２　　記憶部
１０３　　通信処理部
１０４　　表示部
１０５　　入力部
１０６　　ＩＣチップＩＦ
１０７　　ＲＯＭＩＦ
１０８　　バス
１１１　　ユーザインタフェース機能
１１２，３０２　　サービス制御機能
１１３，３１１　　認証機能
１１４　　通信機能
２０１　　データベース
３０１　　サービス管理機能
３１２　　課金機能
３２１　　制御機能
３２２　　検索機能
【図１】
2004015329.tif 000003
【図２】
2004015329.tif 000004
【図３】
2004015329.tif 000005
【図４】
2004015329.tif 000006
【図５】
2004015329.tif 000007
【図６】
2004015329.tif 000008